(57)【要約】【課題】貯湯タンクの保温性能と、貯湯式給湯機のコンパクト化とを両立可能な貯湯式給湯機を提供する。【解決手段】貯湯式給湯機は、胴部１ａを有する貯湯タンク１と、胴部１ａを少なくとも部分的に覆う内側真空断熱材１５と、内側真空断熱材１５に対して厚さ方向の外側に配置され、内側真空断熱材１５との間に他の断熱材を挟むことなく、全面的に内側真空断熱材１５に重なる外側真空断熱材１６と、を備える。内側真空断熱材１５は、胴部１ａに接する。外側真空断熱材１６の内周面の全域が内側真空断熱材１５の外周面に接する。外側真空断熱材１６の厚さ方向の外側に他の断熱材が存在しない。【選択図】図３
2019090604.tif 000002
【特許請求の範囲】
【請求項１】
胴部を有する貯湯タンクと、
前記胴部を少なくとも部分的に覆う第一真空断熱材と、
前記第一真空断熱材に対して厚さ方向の外側に配置され、前記第一真空断熱材との間に他の断熱材を挟むことなく、全面的に前記第一真空断熱材に重なる第二真空断熱材と、
を備え、
前記第一真空断熱材の内周面は、前記胴部に接し、
前記第二真空断熱材の内周面の全域が前記第一真空断熱材の外周面に接し、
前記第二真空断熱材の厚さ方向の外側に他の断熱材が存在しない貯湯式給湯機。
【請求項２】
胴部を有する貯湯タンクと、
前記胴部を少なくとも部分的に覆う第一真空断熱材と、
前記第一真空断熱材に対して厚さ方向の外側に配置され、前記第一真空断熱材との間に他の断熱材を挟むことなく、全面的に前記第一真空断熱材に重なる第二真空断熱材と、
前記第一真空断熱材が覆わない部分の前記胴部を覆う成形断熱材と、
を備え、
前記第二真空断熱材の内周面の全域が前記第一真空断熱材の外周面に接し、
前記第一真空断熱材及び前記第二真空断熱材の合計厚さは、前記成形断熱材の平均厚さより薄い貯湯式給湯機。
【請求項３】
前記第二真空断熱材の外皮材は、前記第一真空断熱材の外皮材の材質とは異なる材質を有する請求項１または請求項２に記載の貯湯式給湯機。
【請求項４】
前記第二真空断熱材の外皮材の引裂強度は、前記第一真空断熱材の外皮材の引裂強度より高い請求項１から請求項３のいずれか一項に記載の貯湯式給湯機。
【請求項５】
前記第一真空断熱材の外皮材の耐熱温度は、前記第二真空断熱材の外皮材の耐熱温度より高い請求項１から請求項４のいずれか一項に記載の貯湯式給湯機。
【請求項６】
前記胴部の周方向についての前記第一真空断熱材の長さが、前記周方向についての前記第二真空断熱材の長さより長い請求項１から請求項５のいずれか一項に記載の貯湯式給湯機。
【請求項７】
前記貯湯タンクの上下方向についての前記第二真空断熱材の長さは、前記上下方向についての前記第一真空断熱材の長さより短く、
前記上下方向についての前記第二真空断熱材の中心位置は、前記上下方向についての前記第一真空断熱材の中心位置に比べて上にある請求項１から請求項６のいずれか一項に記載の貯湯式給湯機。
【請求項８】
前記第一真空断熱材の厚さは、前記第二真空断熱材の厚さより薄い請求項１から請求項７のいずれか一項に記載の貯湯式給湯機。
【発明の詳細な説明】
【技術分野】
【０００１】
本発明は、貯湯式給湯機に関する。
【背景技術】
【０００２】
下記特許文献１に開示された従来の貯湯式給湯機は、貯湯タンクを覆う形状に形成された断熱部材と、貯湯タンクの胴部を覆う位置で、当該断熱部材の内周面側または外周面側に重ねて配置された真空断熱材と、を備える。当該断熱部材は、発泡スチロール等の発泡プラスチックからなる。
【先行技術文献】
【特許文献】
【０００３】
【特許文献１】特開２０１１−２３７０７２号公報
【発明の概要】
【発明が解決しようとする課題】
【０００４】
発泡プラスチックからなる断熱部材は、真空断熱材に比べて、厚さが同じ場合、断熱性能が劣る。上記特許文献１に記載された従来の貯湯式給湯機において、貯湯タンクの保温性能を良好にするには、発泡プラスチックからなる断熱部材の厚さを厚くする必要がある。このため、貯湯式給湯機のコンパクト化が困難である。
【０００５】
本発明は、上述のような課題を解決するためになされたもので、貯湯タンクの保温性能と、貯湯式給湯機のコンパクト化とを両立可能な貯湯式給湯機を提供することを目的とする。
【課題を解決するための手段】
【０００６】
本発明に係る貯湯式給湯機は、胴部を有する貯湯タンクと、胴部を少なくとも部分的に覆う第一真空断熱材と、第一真空断熱材に対して厚さ方向の外側に配置され、第一真空断熱材との間に他の断熱材を挟むことなく、全面的に第一真空断熱材に重なる第二真空断熱材と、を備え、第一真空断熱材の内周面は、胴部に接し、第二真空断熱材の内周面の全域が第一真空断熱材の外周面に接し、第二真空断熱材の厚さ方向の外側に他の断熱材が存在しないものである。
また、本発明に係る貯湯式給湯機は、胴部を有する貯湯タンクと、胴部を少なくとも部分的に覆う第一真空断熱材と、第一真空断熱材に対して厚さ方向の外側に配置され、第一真空断熱材との間に他の断熱材を挟むことなく、全面的に第一真空断熱材に重なる第二真空断熱材と、第一真空断熱材が覆わない部分の胴部を覆う成形断熱材と、を備え、第二真空断熱材の内周面の全域が第一真空断熱材の外周面に接し、第一真空断熱材及び第二真空断熱材の合計厚さは、成形断熱材の平均厚さより薄いものである。
【発明の効果】
【０００７】
本発明の貯湯式給湯機によれば、貯湯タンクの保温性能と、貯湯式給湯機のコンパクト化とを両立することが可能となる。
【図面の簡単な説明】
【０００８】
【図１】実施の形態１の貯湯式給湯機を示す正面図である。
【図２】実施の形態１の貯湯式給湯機が備える貯湯タンク及び断熱材の分解斜視図である。
【図３】実施の形態１の貯湯式給湯機が備える貯湯タンク及び断熱材の横断面図である。
【図４】実施の形態１の貯湯式給湯機が備える貯湯タンク及び断熱材の横断面図である。
【図５】実施の形態１の貯湯式給湯機が備える内側真空断熱材の一部の模式的な断面図である。
【図６】図３中のＡで示す部分を拡大した図である。
【発明を実施するための形態】
【０００９】
以下、図面を参照して実施の形態について説明する。各図において共通する要素には、同一の符号を付して、重複する説明を簡略化または省略する。なお、本発明における装置、器具、及び部品等の、個数、配置、向き、形状、及び大きさは、原則として、図面に示す個数、配置、向き、形状、及び大きさに限定されない。
【００１０】
実施の形態１．
図１は、実施の形態１の貯湯式給湯機を示す正面図である。図１に示すように、実施の形態１の貯湯式給湯機１００は、貯湯タンク１を内蔵した貯湯タンクユニット３０と、水を加熱して高温の湯を生成可能な加熱手段４とを有している。貯湯タンクユニット３０と加熱手段４との間は、入水配管３及び出湯配管５により接続されている。また、貯湯タンクユニット３０には、外部の水道等の水源からの水を供給する給水配管２と、風呂給湯配管６と、給湯配管７とが接続されている。貯湯タンク１内に貯留された水は、貯湯タンク１の下部から導出され、入水配管３を通って加熱手段４へ搬送される。加熱手段４は、例えば、冷凍サイクルを用いて水を加熱するヒートポンプユニットで構成される。加熱手段４に搬送された水は、加熱されて高温の湯となる。この高温の湯は、出湯配管５を通って貯湯タンクユニット３０に戻り、貯湯タンク１の上部から貯湯タンク１内に流入して貯留される。貯湯タンクユニット３０の内部には、貯湯タンク１内から取り出された高温の湯と、給水配管２から供給される水とを混合して温度調節するための混合弁が備えられている。この混合弁により温度調節された湯水は、風呂給湯配管６を介して、お風呂の浴槽４０へ供給され、あるいは、給湯配管７を介して、シャワー、台所、洗面所の蛇口などの給湯端末へ供給される。なお、本発明における加熱手段は、上述した構成に限定されるものではなく、例えば電気ヒータ等の加熱手段を貯湯タンク１内に配置したものであってもよい。
【００１１】
貯湯タンクユニット３０は、外郭ケース底板９、外郭ケース側板１０、外郭ケース天板１１等により構成される略直方体の箱状の外郭ケース（筐体）を備えている。外郭ケース側板１０と外郭ケース天板１１との間、及び、外郭ケース側板１０と外郭ケース底板９との間は、ネジなどの締結部品でそれぞれ締結されている。貯湯タンク１は、放熱を抑制するため、後述する断熱材により覆われた状態で、上記外郭ケース内に収納されている。外郭ケースの下方には複数本のタンクユニット脚１２が設置されており、これらのタンクユニット脚１２により貯湯タンクユニット３０が地面または台座に対し支持固定されている。
【００１２】
外郭ケース側板１０は、貯湯タンクユニット３０の前面、後面、右側面及び左側面の４面に備えられる。図１は、前面の外郭ケース側板１０を取り外した状態を示している。貯湯タンクユニット３０の外郭ケースと、貯湯タンク１を覆う断熱材との間の空間には、配管、ポンプ、バルブ、熱交換器、制御基板などの各種の機器が配置される。
【００１３】
貯湯タンク１の内部には、温度の違いによる水の密度の差により、上側が高温で下側が低温になる温度成層が形成可能である。貯湯式給湯機１００の使用時、貯湯タンク１の内部には、上方に高温水層、下方に低温水層、その間に中温水層、という温度分布が形成される場合がある。
【００１４】
図２は、実施の形態１の貯湯式給湯機１００が備える貯湯タンク１及び断熱材の分解斜視図である。図２は、斜め前から見た図である。図２に示すように、貯湯タンク１は、円筒状の胴部１ａと、胴部１ａの上端を塞ぐ上鏡板１ｂと、胴部１ａの下端を塞ぐ下鏡板１ｃとを備える。胴部１ａと、上鏡板１ｂ及び下鏡板１ｃとは、例えば溶接により接合される。上鏡板１ｂの形状は、半球状または椀状である。下鏡板１ｃの形状は、半球状または椀状である。貯湯タンク１の胴部１ａは、成形断熱材１３、成形断熱材１４、内側真空断熱材１５、及び外側真空断熱材１６により覆われる。
【００１５】
成形断熱材１３及び成形断熱材１４は、例えば発泡ポリスチレンなどの発泡プラスチックで成形されたものであることが望ましい。成形断熱材１３は、貯湯タンク１の胴部１ａの周方向に関しては、胴部１ａの半周の部分を覆う。成形断熱材１３は、貯湯タンク１の上下方向に関しては、胴部１ａの全体を覆う。成形断熱材１３は、貯湯タンク１の胴部１ａの表面に接触または近接する半円筒状の内周面を有する。成形断熱材１４は、貯湯タンク１の胴部１ａの周方向に関しては、成形断熱材１３で覆われない胴部１ａの残りの半周の部分を覆う。成形断熱材１４は、貯湯タンク１の上下方向に関しては、胴部１ａの下側の部分を覆う。成形断熱材１４は、貯湯タンク１の胴部１ａの表面に接触または近接する半円筒状の内周面を有する。
【００１６】
内側真空断熱材１５及び外側真空断熱材１６は、貯湯タンク１の胴部１ａの周方向に関しては、成形断熱材１３で覆われない胴部１ａの残りの半周の部分を覆う。内側真空断熱材１５及び外側真空断熱材１６は、貯湯タンク１の上下方向に関しては、成形断熱材１４で覆われない、胴部１ａの上側の部分を覆う。内側真空断熱材１５は、貯湯タンク１の胴部１ａを少なくとも部分的に覆う第一真空断熱材の例である。内側真空断熱材１５は、半円筒状の形状を有する。外側真空断熱材１６は、内側真空断熱材１５（第一真空断熱材）に対して厚さ方向の外側に配置される第二真空断熱材の例である。
【００１７】
なお、貯湯タンク１の上鏡板１ｂ及び下鏡板１ｃを覆う断熱材が備えられてもよいが、本実施の形態では図示を省略する。
【００１８】
図３は、実施の形態１の貯湯式給湯機１００が備える貯湯タンク１及び断熱材の横断面図である。図３は、貯湯タンク１の上下方向に対して垂直な平面で切断した断面図である。図３は、成形断熱材１３、内側真空断熱材１５、及び外側真空断熱材１６が切断され、成形断熱材１４が切断されない位置における断面図である。すなわち、図３は、成形断熱材１４の上面より上の位置における断面図である。
【００１９】
成形断熱材１３は、貯湯タンクユニット３０の外郭ケースの内壁に接触または近接する第一側面１３ａ、第二側面１３ｂ、及び第三側面１３ｃを有する。図３において、第一側面１３ａ、第二側面１３ｂ、及び第三側面１３ｃは、コの字型に位置する。成形断熱材１４は、貯湯タンクユニット３０の外郭ケースの内壁に接触または近接する第一側面１４ａ、第二側面１４ｂ、及び第三側面１４ｃを有する。図３において、第一側面１４ａ、第二側面１４ｂ、及び第三側面１４ｃは、コの字型に位置する。
【００２０】
以下の説明において、断熱材の厚さとは、原則として、貯湯タンク１の表面の法線方向に沿って測った厚さを意味するものとする。成形断熱材１３の厚さは、第一側面１３ａ及び第二側面１３ｂにより形成される角部、並びに、第二側面１３ｂ及び第三側面１３ｃにより形成される角部において比較的厚く、他の部分において比較的薄い。成形断熱材１３の厚さを胴部１ａの周方向に沿って平均した平均値を、成形断熱材１３の平均厚さと称する。成形断熱材１４の厚さは、第一側面１４ａ及び第二側面１４ｂにより形成される角部、並びに、第二側面１４ｂ及び第三側面１４ｃにより形成される角部において比較的厚く、他の部分において比較的薄い。成形断熱材１４の厚さを胴部１ａの周方向に沿って平均した平均値を、成形断熱材１４の平均厚さと称する。
【００２１】
内側真空断熱材１５の内周面は、貯湯タンク１の胴部１ａの表面に接触または近接する。外側真空断熱材１６の内周面は、内側真空断熱材１５の外周面に接触または近接する。内側真空断熱材１５と外側真空断熱材１６との間に、真空断熱材以外の他の断熱材は挟まれない。外側真空断熱材１６は、全面的に内側真空断熱材１５に重なる。すなわち、外側真空断熱材１６の内周面の全域、またはほぼ全域は、内側真空断熱材１５の外周面に接触または近接する。外側真空断熱材１６の厚さ方向の外側に、他の断熱材は存在しない。
【００２２】
内側真空断熱材１５及び外側真空断熱材１６の合計厚さは、成形断熱材１３の平均厚さより薄く、成形断熱材１４の平均厚さより薄い。一般に、真空断熱材は、極めて優れた断熱性能を有する。真空断熱材は、同じ厚さの成形断熱材に比べて、高い断熱性能を有する。本実施の形態であれば、薄くても高い断熱性能を有する内側真空断熱材１５及び外側真空断熱材１６が二重になって貯湯タンク１を覆う領域を有することで、当該領域において、断熱材の合計厚さを抑制しつつ、優れた断熱性が得られる。特に、内側真空断熱材１５に対して外側真空断熱材１６が間に他の断熱材を挟まずに重なることで、当該領域における断熱材の合計厚さを十分に小さくできる。このため、貯湯式給湯機１００において、貯湯タンク１の保温性能を良好にしつつ、貯湯タンクユニット３０をコンパクト化することが可能となる。
【００２３】
貯湯タンクユニット３０の外郭ケースの内壁と、内側真空断熱材１５及び外側真空断熱材１６との間の空間に、例えば、配管、ポンプ、バルブ、熱交換器、制御基板などの機器が配置されてもよい。そのようにすることで、貯湯タンクユニット３０の外郭ケース内の空間をより有効に利用でき、貯湯タンクユニット３０のコンパクト化に有利になる。
【００２４】
本実施の形態では、貯湯タンク１の胴部１ａの周方向についての内側真空断熱材１５の長さが、胴部１ａの周方向についての外側真空断熱材１６の長さより長い。これにより、本実施の形態であれば、以下の効果が得られる。内側真空断熱材１５と成形断熱材１３との継ぎ目１７の位置と、外側真空断熱材１６と成形断熱材１３との継ぎ目１８の位置とが重ならないようにできる。仮に、継ぎ目１７の位置と、継ぎ目１８の位置とが重なると、その位置から熱漏洩しやすい。これに対し、継ぎ目１７の位置と、継ぎ目１８の位置とが重ならないことで、当該熱漏洩を抑制できる。
【００２５】
成形断熱材１３は、内側真空断熱材１５との継ぎ目１７に近い部分において内側真空断熱材１５に対して厚さ方向の外側に重なる重なり部１３ｄを有する。すなわち、内側真空断熱材１５は、成形断熱材１３の重なり部１３ｄと、貯湯タンク１の胴部１ａとの間に挟まれる部分を有する。これにより、本実施の形態であれば、以下の効果が得られる。継ぎ目１７の外側に重なり部１３ｄが存在することで、継ぎ目１７からの熱漏洩を確実に抑制できる。
【００２６】
成形断熱材１３の重なり部１３ｄの端面に外側真空断熱材１６の端面が接合することで、継ぎ目１８が形成される。外側真空断熱材１６は、成形断熱材１３と、貯湯タンク１の胴部１ａとの間に挟まれる部分を有さない。すなわち、成形断熱材１３は、外側真空断熱材１６に対して厚さ方向の外側に重なる部分を有さない。これにより、本実施の形態であれば、以下の効果が得られる。外側真空断熱材１６が配置された領域において、断熱材全体の厚さが厚くなる部分が生じることを抑制できるので、貯湯タンクユニット３０のコンパクト化に有利になる。
【００２７】
図４は、実施の形態１の貯湯式給湯機１００が備える貯湯タンク１及び断熱材の横断面図である。図４は、斜め後ろから見た図である。図４では、成形断熱材１４を省略している。図４に示すように、本実施の形態では、以下のように構成されている。貯湯タンク１の上下方向についての外側真空断熱材１６の長さは、上下方向についての内側真空断熱材１５の長さより短い。上下方向についての外側真空断熱材１６の中心位置は、上下方向についての内側真空断熱材１５の中心位置に比べて上にある。貯湯タンク１内の水温は、上側ほど高い。貯湯タンク１の胴部１ａのうち、上側の部分は、内側真空断熱材１５及び外側真空断熱材１６で二重に覆われる。当該上側の部分には、高温水が存在する可能性が高い。当該上側の部分が内側真空断熱材１５及び外側真空断熱材１６で二重に覆われることで、高温水の温度低下をより確実に抑制できる。貯湯タンク１の胴部１ａのうち、高さ方向の中間の部分は、内側真空断熱材１５のみで覆われる。当該中間の部分には、中温水が存在する可能性が高い。このため、内側真空断熱材１５のみでも中温水の温度低下を確実に抑制できる。
【００２８】
図５は、実施の形態１の貯湯式給湯機１００が備える内側真空断熱材１５の一部分の模式的な断面図である。図５に示すように、内側真空断熱材１５は、芯材１５ａ、外皮材１５ｂ、及び吸湿材１５ｃを備える。芯材１５ａは、例えば発泡体、粉体、繊維体等からなる多孔質の板状のコア材である。外皮材１５ｂは、芯材１５ａを両面から覆う。外皮材１５ｂは、例えばプラスチックフィルム、プラスチック金属ラミネートフィルム等で構成され、ガスバリア性を有する。芯材１５ａの両面の外皮材１５ｂは、芯材１５ａの外周部において接着剤または熱溶着等によって接着されることにより、密封されている。内側真空断熱材１５は、袋状に密封された外皮材１５ｂの内部が、真空に近い減圧状態になっていることで、極めて高い断熱性能を有する。
【００２９】
図５中の内側真空断熱材１５は、下側の面が貯湯タンク１に対向する面であり、上側の面が貯湯タンク１に対向しない面である。吸湿材１５ｃは、芯材１５ａと、貯湯タンク１に対向しない面の外皮材１５ｂとの間に配置される。吸湿材１５ｃは、外皮材１５ｂで囲まれる内部空間の水分を吸着する。吸湿材１５ｃが水分を吸着することで、水分による内圧上昇などが内側真空断熱材１５の断熱性能を低下させることを抑制できる。吸湿材１５ｃは、例えば、活性炭、ゼオライト、塩化カルシウム、酸化カルシウム、酸化マグネシウム、塩化マグネシウム、水酸化カルシウム、水酸化マグネシウム、シリカゲルなどを含んでもよい。吸湿材１５ｃが設置されている箇所では、吸湿材１５ｃの厚さにより、外皮材１５ｂの表面が凸形状になる。
【００３０】
図４に示すように、内側真空断熱材１５は、外側真空断熱材１６に覆われない領域を有する。当該領域内に吸湿材１５ｃが位置する。これにより、以下の効果が得られる。吸湿材１５ｃによる外皮材１５ｂの表面の凸形状が、内側真空断熱材１５と外側真空断熱材１６との間の隙間の原因になることがない。内側真空断熱材１５と外側真空断熱材１６との間に隙間が生ずることを確実に抑制できるので、当該隙間による断熱性の低下を確実に抑制できる。
【００３１】
外側真空断熱材１６の断面図は、内側真空断熱材１５の断面図（図５）と同様であるので、省略する。外側真空断熱材１６は、芯材及び外皮材を備える。外側真空断熱材１６は、吸湿材を備えてもよい。外側真空断熱材１６の吸湿材は、内側真空断熱材１５に対向しない面の外皮材と芯材との間に配置されてもよい。そのように吸湿材を配置することで、内側真空断熱材１５と外側真空断熱材１６との間に隙間が生ずることを確実に抑制できる。
【００３２】
一般に、真空断熱材は、外皮材が損傷すると、内部に空気が侵入することで、断熱性能が低下する。このため、真空断熱材の外皮材の損傷を抑制することが極めて重要である。外側真空断熱材１６の外皮材は、内側真空断熱材１５の外皮材１５ｂの材質とは異なる材質を有してもよい。内側真空断熱材１５の外皮材１５ｂの材質と、外側真空断熱材１６の外皮材の材質とを異にすることで、内側真空断熱材１５と外側真空断熱材１６とのそれぞれに対してより適した外皮材を用いることが可能となる。例えば、以下のようにしてもよい。
【００３３】
外側真空断熱材１６の外皮材の引裂強度は、内側真空断熱材１５の外皮材１５ｂの引裂強度より高いことが望ましい。外側真空断熱材１６は、貯湯タンクユニット３０の製造組立時、あるいはメンテナンス時に、何かに接触する可能性がある。外側真空断熱材１６の外皮材として引裂強度が比較的高いものを用いることで、外側真空断熱材１６の外皮材が何かに接触したときに外皮材が損傷することを確実に抑制できる。内側真空断熱材１５は、外側真空断熱材１６に覆われている領域を有するので、貯湯タンクユニット３０の製造組立時、あるいはメンテナンス時に、何かに接触する可能性は低い。このため、内側真空断熱材１５の外皮材１５ｂの引裂強度は比較的低くてもよい。
【００３４】
内側真空断熱材１５の外皮材１５ｂの耐熱温度は、外側真空断熱材１６の外皮材の耐熱温度より高いことが望ましい。内側真空断熱材１５の外皮材１５ｂは、貯湯タンク１に貯留される高温水すなわち湯の熱を受けやすい。内側真空断熱材１５の外皮材１５ｂは、貯湯タンク１に貯留される湯の最高温度以上の耐熱温度を有する材質であることが求められる。これに対し、貯湯タンク１と外側真空断熱材１６との間には内側真空断熱材１５が存在するため、外側真空断熱材１６の外皮材の耐熱温度は、内側真空断熱材１５の外皮材１５ｂの耐熱温度より低くてよい。
【００３５】
図６は、図３中のＡで示す部分を拡大した図である。図６に示すように、内側真空断熱材１５の厚さＬ１は、外側真空断熱材１６の厚さＬ２より薄い。このような構成により、以下の効果が得られる。内側真空断熱材１５及び外側真空断熱材１６は、貯湯タンク１に取り付ける際に、取り付け後の曲率半径に合わせたＲ形状の加工を施されることがある。取り付け後の内側真空断熱材１５の曲率半径は、取り付け後の外側真空断熱材１６の曲率半径より小さい。曲率半径が比較的小さい内側真空断熱材１５の厚さＬ１を薄くすることで、内側真空断熱材１５のＲ形状の加工を容易に施すことが可能となる。
【００３６】
本実施の形態では、内側真空断熱材１５が貯湯タンク１の胴部１ａを部分的に覆う構成について説明した。このような構成に限らず、内側真空断熱材１５が貯湯タンク１の胴部１ａを全周にわたって覆ってもよい。内側真空断熱材１５は、貯湯タンク１の胴部１ａの周方向に関して、胴部１ａの少なくとも半周を覆うことが望ましい。本発明では、内側真空断熱材１５及び外側真空断熱材１６にさらに重なる真空断熱材が備えられてもよい。すなわち、真空断熱材が三重以上に重なる部分があってもよい。
【符号の説明】
【００３７】
１  貯湯タンク、  １ａ  胴部、  １ｂ  上鏡板、  １ｃ  下鏡板、  ２  給水配管、  ３  入水配管、  ４  加熱手段、  ５  出湯配管、  ６  風呂給湯配管、  ７  給湯配管、  ９  外郭ケース底板、  １０  外郭ケース側板、  １１  外郭ケース天板、  １２  タンクユニット脚、  １３  成形断熱材、  １３ａ  第一側面、  １３ｂ  第二側面、  １３ｃ  第三側面、  １３ｄ  重なり部、  １４  成形断熱材、  １４ａ  第一側面、  １４ｂ  第二側面、  １４ｃ  第三側面、  １５  内側真空断熱材、  １５ａ  芯材、  １５ｂ  外皮材、  １５ｃ  吸湿材、  １６  外側真空断熱材、  １７，１８  継ぎ目、  ３０  貯湯タンクユニット、  ４０  浴槽、  １００  貯湯式給湯機
【図１】
2019090604.tif 000003
【図２】
2019090604.tif 000004
【図３】
2019090604.tif 000005
【図４】
2019090604.tif 000006
【図５】
2019090604.tif 000007
【図６】
2019090604.tif 000008